(57)【要約】本発明は、駆動部の回転動力がパルセータ又は洗濯槽に短時間内に安定的に切り換えて供給できる洗濯機を提供する。本発明は、ステーターと、ローターを含んでいるモータと、上端が洗濯槽に結合される中空の脱水軸と、前記脱水軸の中空部に単独に回転自在に取り付けられ、上端は洗濯槽の内部に取り付けられているパルセータに結合される洗濯軸と、前記ローターと前記洗濯軸との間に取り付けられて前記ローターの回転力を洗濯軸に伝えるコネクターアセンブリと、前記脱水軸の外周面に沿って上下運動しながら前記ローターの回転力を脱水軸に選択的に伝えるスライダーと、前記スライダーの上下運動を誘導するために動力を発生するアクチュエーターと、前記アクチュエーターと前記スライダーとの間に取り付けられ、前記アクチュエーターの動力を変換させて前記スライダーに伝える動力伝達手段と、前記アクチュエーターと前記スライダーとの間に取り付けられて前記アクチュエーターで発生した動力を遅延させて前記スライダーに伝達する緩衝手段とを含んでいることを特徴とする。
2004518504.tif 000002
【特許請求の範囲】
【請求項１】
ステーターと、前記ステーターから誘起された電流によって回転するローターを含んでいるモータと、
上端が洗濯槽に結合される中空の脱水軸と、
前記脱水軸の中空部に単独に回転自在に取り付けられ、上端は洗濯槽の内部に取り付けられているパルセータに結合される洗濯軸と、
前記ローターと前記洗濯軸との間に取り付けられて前記ローターの回転力を洗濯軸に伝えるコネクターアセンブリと、
前記脱水軸の外周面に沿って上下運動しながら前記ローターの回転力を脱水軸に選択的に伝えるスライダーと、
前記スライダーの上下運動を誘導するために動力を発生するアクチュエーターと、
前記アクチュエーターと前記スライダーとの間に取り付けられ、前記アクチュエーターの動力を変換させて前記スライダーに伝える動力伝達手段と、
前記アクチュエーターと前記スライダーとの間に取り付けられて前記アクチュエーターで発生した動力を遅延させて前記スライダーに伝達する緩衝手段を包含している洗濯機。
【請求項２】
前記スライダーは、
前記洗濯槽の下部に取り付けられるベアリングハウジングの下部に固設され外面に円周方向に沿って固定歯車が形成される固定スライダーと、
前記動力手段に連結されて上下に運動し、内周面に脱水軸又はコネクターアセンブリと選択的に結合するセレーションが形成され、外面に前記固定歯車に係合される移動歯車が形成される移動スライダーを含んでいることを特徴とする請求項１に記載の洗濯機。
【請求項３】
前記固定歯車と移動歯車の耐蝕性、耐熱性、耐摩耗性を向上させるために前記固定歯車と移動歯車の各接触面に形成されるモリブデンコーティング層を更に含んでいることを特徴とする請求項２に記載の全自動洗濯機。
【請求項４】
前記モリブデンコーティング層は二硫化モリブデン（ＭｏＳ２）を主成分にすることを特徴とする請求項３に記載の全自動洗濯機。
【請求項５】
前記移動スライダーと固定スライダーとの間に取り付けられ、前記移動スライダーと固定スライダーとの結合を抑制する方向に復元力を有する圧縮スプリングを更に含んでいることを特徴とする請求項２に記載の洗濯機。
【請求項６】
前記コネクターアセンブリは前記ローターに結合されるアウターコネクターと、
前記アウターコネクターの内部に取り付けられ、その内面に前記洗濯軸の下部面と結合する第１セレーションが形成され、前記アウターコネクターの外部に露出される外面に前記移動スライダーのセレーションと結合する第２セレーションが形成されるインナーコネクターを含んでいることを特徴とする請求項２に記載の洗濯機。
【請求項７】
前記インナーコネクターはアルミニウム合金焼結体からなることを特徴とする請求項６に記載の洗濯機。
【請求項８】
前記動力伝達手段は、前記ベアリングハウジングに固定されアングル状に折り曲げられたワイヤーガイドと、
前記ワイアガイドの内部に挿入され、一端が前記アクチュエーターの直線運動を伝達するコネクティングロッドに連結されるワイヤーと、
前記ワイヤーの多端に連結されて前記アクチュエーターの直線運動によって上下に運動し、上端に傾斜面が形成される垂直運動部材と、
一端は前記ベアリングハウジングの一側に結合された固定ピンにヒンジ結合され他端は前記移動スライダーに接触され、前記一端と他端との間の本体が前記垂直運動部材の傾斜面に面接触されて前記垂直運動部材が上下に運動することによって固定ピンを中心に回転する回転運動リンクを含んでいることを特徴とする請求項２に記載の洗濯機。
【請求項９】
前記アクチュエーターのオフ時、前記回転運動リンクの復帰を助けるために一端が固定され他端が前記回転運動リンクに結合され、前記固定ピンの外周面に挿入されるトーションスプリングを更に含んでいることを特徴とする請求項８に記載の洗濯機。
【請求項１０】
前記アクチュエーターのオフ時、前記移動スライダーの下降を制限するために前記回転運動リンクと接触可能に取り付けられて前記回転運動リンクの回転角を制限するストッパーを更に含んでいることを特徴とする請求項８に記載の洗濯機。
【請求項１１】
前記緩衝手段は、
前記コネクティングロッドとワイヤーとの間に取り付けられて前記コネクティングロッドの運動をワイヤーにそのまま伝えると共に前記固定歯車と移動歯車とが誤った噛合状態で前記コネクティングロッドの引張力を自分で引っ張りながら吸収する緩衝スプリングであることを特徴とする請求項８に記載の洗濯機。
【発明の詳細な説明】
【０００１】
【発明の属する技術分野】
本発明は洗濯機に関し、更に詳細には洗濯及び濯ぎを低速で回転するパルセータによって行い、脱水は高速で回転する洗濯槽によって行う全自動洗濯機に関する。
【０００２】
【従来の技術】
一般に、洗濯機は洗剤の柔和作用とパルセータの回転による水流の摩擦作用及びパルセータが洗濯物に加える衝撃作用などを利用して衣服、寝具などに付いている各種汚染物を除去する製品である。かかる洗濯機の内、全自動洗濯機はセンサによって洗濯物の量と種類を感知して洗濯方法を自動的に設定し、また、洗濯水の水位を洗濯物の量と種類によって適切に決めた後マイコンの制御を受けて洗濯を行う。
【０００３】
かかる全自動洗濯機の駆動方式は次のとおりである。先ず駆動モータの回転動力を動力伝達用ベルト及び滑車などを用いて洗濯軸に伝達してパルセータを回転させるか、脱水軸に伝達して洗濯槽を回転させる方式がある。また、ＢＬＤＣモータの速度制御によって洗濯槽を洗濯及び脱水時他の速度で回転させる方式がある。
一方、最近はＢＬＤＣモータを用いながらも動力伝達経路を変えるよう制御して洗濯時にはパルセータを低速回転させて洗濯を行い、脱水時にはパルセータ及び洗濯槽を同時に高速回転させて脱水を行う構造が登場しており、かかる方式の構造例は特開平１１−３４７２８９号公報に記載されている。
しかしながら、前記特開平１１−３４７２８９号公報に記載された方式は噛合クラッチ機構の作動がソレノイドによって行われるので動作が不安定で駆動体の噛合時騒音が発生するものであった。
【０００４】
【発明が解決しようとする課題】
本発明は前記問題を解決しようとするもので、本発明の目的は駆動部の回転動力がパルセータ又は洗濯槽に短時間内に安定的に切り換えて供給できる洗濯機を提供するものである。
【０００５】
【課題を解決するための手段】
前記目的を達成するための本発明によると、本発明はステーターと前記ステーターから誘起された電流によって回転するローターを含むモータと上端が洗濯槽に結合される中空の脱水軸と、前記脱水軸の中空部に単独に回転可能に取り付けられ、上端は洗濯槽の内部に取り付けられたパルセータに結合される洗濯軸と、前記ローターと前記洗濯軸との間に取り付けられ前記ローターの回転力を洗濯軸に伝達するコネクターアセンブリと前記脱水軸の外周面に沿って上下運動しながら前記ローターの回転力を脱水軸に選択的に伝達するスライダーと、前記スライダーの上下運動を誘導するために動力を発生するアクチュエーターと、前記アクチュエーターと前記スライダーとの間に取り付けられ、前記アクチュエーターの動力を変換させて前記スライダーに伝える動力伝達手段と、前記アクチュエーターと前記スライダーとの間に取り付けられ前記アクチュエーターから発生した動力を遅延させて前記スライダーに伝達する緩衝手段とを含んでいる洗濯機を提供する。
従って、本発明による洗濯機は動力伝達手段と緩衝手段の作用によって駆動部の回転動力をパルセータ又は洗濯槽に短時間内に安定的に供給することができる。
【０００６】
【発明の実施の形態】
本発明者らは、前記課題を解決するために鋭意検討した結果、本発明を完成するに至った。以下本発明の第１実施例による洗濯機を図１〜図５ｂを参照して詳細に説明する。尚、図中、同様の構成を有する部分には同一の符号を付しているため詳細は略する。
図１に示すように、本発明の第１実施例による洗濯機は本体内に多数のサスペンションによって弾力的に支持される貯水槽１と、前記貯水槽の内部に回転自在に取り付けられる洗濯槽２と、前記洗濯槽２の内に取り付けられ、洗濯槽２とは独立して回転自在なパルセータ３と、前記貯水槽１の下部に取り付けられて前記洗濯槽２及びパルセータ３を回転させるモータ７から構成される。この時前記モータ７とパルセータ３との間には前記モータ７の動力をパルセータ３に伝達する洗濯軸４が取り付けられ、前記モータ７と洗濯槽２との間には前記モータ７の動力を洗濯槽２に伝える脱水軸が取り付けられる。
このように構成された洗濯機は洗濯行程又は脱水行程に対応して前記モータ７の動力が前記洗濯軸４又は脱水軸５に選択的に供給される必要がある。このため、前記洗濯軸４及び脱水軸５とモータ７との間には前記モータ７の動力伝達経路を切り換えることによって前記モータ７の動力を前記洗濯軸４又は脱水軸５に選択的に伝える動力切り換え装置が取り付けられる。
【０００７】
以下、本発明の第１実施例による洗濯機及び動力切り換え装置の構造及び作用を具体的に説明すると次のようである。
図２に示すように、本発明の第１実施例による洗濯機はステーター７ａと、前記ステーター７ａから誘起された電流によって回転されるローター７ｂを含むモータ７と、上端が洗濯槽に結合される中空の脱水軸５と、前記脱水軸の中空部に単独に回転自在に取り付けられ上端はパルセータに結合される洗濯軸４からなる。
この時、前記洗濯軸４と脱水軸５との間にはオイルレスベアリングが取り付けられ前記洗濯軸４を回転自在に支持する。
前記脱水軸５は洗濯槽の下部に取り付けられたベアリングハウジング１０を貫通する。この時前記ベアリングハウジング１０の上部と下部に各々ボールベアリング１１、１３が備えられ、前記脱水軸５を回転自在に支持する。
前記ローター７ｂと洗濯軸４との間には前記ローター７ｂの回転力を洗濯軸４に伝えるコネクターアセンブリ２０が取り付けられる。前記コネクターアセンブリ２０の構造は後述する。
【０００８】
動力切換装置は前記脱水軸５の外周面に沿って上下運動しながら前記ローター７ｂの回転力を脱水軸５に選択的に伝える一対のスライダーと、前記スライダーの上下運動を導くために動力を生産するアクチュエーター６と、前記アクチュエーター６と前記スライダー３１、３５との間に取り付けられて前記アクチュエーター６の動力を変換させてスライダーに伝える動力伝達手段からなる。この時前記アクチュエーター６と前記スライダー３１、３５の間に前記アクチュエーターから発生した動力を遅延させて前記スライダーに伝える緩衝手段が更に取り付けられる。
前記アクチュエーター６は貯水槽の下部に取り付けられ、電気又は油圧によって前記動力伝達手段の左右水平運動を誘導する。
前記スライダー３１、３５はベアリングハウジング１０の下部に固設され、外面に円周方向に沿って固定歯車３２が形成される固定スライダー３１と、前記動力伝達手段に連結され上下に運動し外面に前記固定歯車３２に形合される移動歯車３６が形成される移動スライダー３５とで構成される。この時前記固定スライダー３１はベアリングハウジング１０の下部に固定されるブラケット１５によって支持される。
前記移動スライダー３５は脱水軸５の外周面に沿って昇降する部材として、その内周面に脱水軸５又はコネクターアセンブリ２０と選択的に結合するセレーション３７が形成される。
【０００９】
前記移動スライダー３５と固定スライダー３１の間に前記移動スライダーと固定スライダーとの結合を抑制する方向に復元力を有する圧縮スプリング４０が更に取り付けられる。即ち、前記圧縮スプリング４０は移動スライダー３５の上部面と下部側ベアリング１３の間に取り付けられ前記アクチュエーター６に電源が印加されない状態で前記移動スライダー３５を下に押すことになる。
前記動力伝達手段はアクチュエーター６の直線運動を伝えられるワイヤー７０と、前記ワイヤー７０に連結されて上下運動する垂直運動部材８０と前記垂直運動部材８０に結合されて垂直運動部材の運動時回転しながら前記移動スライダー３５を上下に運動させる回転運動リンク１１０に構成される。
前記ワイヤー７０の移動をガイドするために前記ベアリングハウジング１０にはアングル状に折り曲げたワイヤーガイド６０が固設される。従って、前記ワイヤー７０はワイヤーガイド６０の内部に挿入されて前記ワイヤーガイドの案内を受けながら移動する。
前記ワイヤー７０の一端とアクチュエーター６の間にコネクティングロッド５０が更に取り付けられる。前記コネクティングロッド５０はアクチュエーター６に電源の印加された時前記ワイヤー７０を引っ張ることになる。
前記垂直運動部材８０はワイヤー７０の他端に連結され、前記アクチュエーター６によってワイヤーの他端が上下に移動することになると、前記ワイヤー７０と共に上下に運動する。
【００１０】
前記回転運動リンク１１０はその一端１１１がブラケット１５の一側に固定された固定ピン１７に回転自在に結合され、他端１１３が前記移動スライダー３５に接触されるように取り付けられる。この時前記垂直運動部材８０の上下運動を回転運動リンク１１０の回転運動に導くために、前記垂直運動部材８０の上端８１に傾斜面が形成される。これと共に、前記回転運動リンク１１０の本体にも前記垂直運動部材の上端８１に面接触される傾斜面が形成される。従って、前記垂直運動部材８０がワイヤー７０によって上昇することになると、前記垂直運動部材の上端８１は回転運動リンク１１０の本体に沿って移動することになる。これによって前記回転運動リンク１１０は固定ピン１７を中心に反時計方向に回転しながら前記移動スライダー３５を上昇させることになる。
この時、前記アクチュエーター６のオフ時、前記回転運動リンク１１０の復帰を手伝うためのトーションスプリング１２０が更に備えられる。前記トーションスプリング１２０はその中心が前記固定ピン１７の外面に挿入され、一端がブラケット１５上に固定され他端が前記回転運動リンク１１０に結合される。
従って、前記回転運動リンクが反時計方向に回転すると、前記トーションスプリング１２０は捻られる。この時、前記アクチュエーター６のオフ時、前記垂直運動部材８０が回転運動リンク１１０を支持する力が除去されると、前記トーションスプリング１２０は元の状態に復帰しながら前記回転運動リンク１１０を時計方向に回転させることになる。
尚、前記アクチュエーター６のオフ時、前記移動スライダー３５の下降位置を限定するために前記ブラケット１５の一側に回転運動リンク１１０と接触可能できるようにストッパー１１５が更に取り付けられる。前記回転運動リンク１１０が時計方向に回転するとき、前記ストッパー１１５は回転運動リンクと接触しながら前記回転運動リンク１１０の回転角を制限することになり、その結果前記移動スライダー３５は回転運動リンクによってこれ以上下に下降できなくなる。
【００１１】
ところで、前記移動スライダー３５が上昇して固定スライダー３１と結合するとき前記移動歯車３６と固定歯車３２が噛み合わないでいる状態（ｍｉｓｓ  ｅｎｇａｇｅｍｅｎｔ）即ち、前記固定歯車３２の山部分と移動歯車３６の山部分が当接する状態になることもある。これを瞬間拘束状態と定義する。この場合、前記回転運動リンク１１０が移動スライダー３５を上昇し続けさせると、前記固定歯車３２と移動歯車３６の正常的な結合は更に難しくなる。これを解決するために、前記アクチュエーター６から移動スライダー３５に伝える動力を一時的に遅延させる必要があり、この機能を行うのが緩衝手段である。
前記緩衝手段として、コネクティングロッド５０とワイヤー７０との間に取り付けられる緩衝スプリング９０が提示される。この時前記緩衝スプリング９０は正常作動状態では前記コネクティングロッド５０の運動をワイヤー７０にそのまま伝達し、瞬間拘束状態では前記コネクティングロッド５０の運動を自分が引張しながら一時的に吸収した後前記ワイヤー７０に伝える。このために前記緩衝スプリング９０の弾性係数はトーションスプリング１２０の弾性係数より大きくしなければならない。
従って、正常作動状態の場合、前記緩衝スプリング９０はトーションスプリング１２０より弾性係数が大きいので前記コネクティングロッド５０の運動を伝達されて変形することなくワイヤー７０に伝えることになる。もし、瞬間拘束状態の場合、前記緩衝スプリング９０はコネクティングロッド５０の運動を自分が引張しながら吸収することによって前記ワイヤー７０に伝えられることを一時的に遅延させることができる。
尚、前記コネクターアセンブリ２０はローター７ｂに結合される樹脂体のアウターコネクター２１と、前記アウターコネクターの内部に取り付けられると共に洗濯軸４に結合されるインナーコネクター２５から構成される。前記インナーコネクター２５はその内面に前記洗濯軸４の下部面と結合する第１セレーション２６が形成され、前記アウターコネクター２１の外部に露出される外面に前記移動スライダー３５のセレーション３７と結合する第２セレーション２７が形成される。この時前記インナーコネクター２５は強度を十分に確保するためにアルミニウム合金焼結体からなるのが望ましい。
【００１２】
以下、本発明の第１実施例による洗濯機の作用を詳細に説明する。
先ず、図３ａ及び図３ｂは本発明による洗濯機の洗濯行程を示すものである。
図３に示すように、前記アクチュエーター６に電源が印加されコネクティングロッド５０がワイヤー７０を引っ張ることになる。この時前記緩衝スプリング９０は変形することなく前記コネクティングロッド５０の引張力をワイヤー７０にそのまま伝える。この場合、前記ワイヤー７０はワイヤーガイド６０の案内を受けながらその他端が上昇することになる。
これと同時に前記回転運動リンク１１０は固定ピン１７を中心に反時計方向に回転することになり、その結果前記回転運動リンクの他端１１３と接触する移動スライダー３５は脱水軸５に沿って上昇する事になる。この時前記移動スライダー３５の上昇運動は移動歯車３６が固定歯車３２に完全に結合されるまで継続される。この状態は図３ｂに示すようである。
この時、前記移動スライダー３５はインナーコネクター２５から完全に分離された状態である。即ち、前記移動スライダー３５のセレーション３７は脱水軸５の外周面に噛み合っているだけではなくインナーコネクターの第２セレーション２７から分離される。
このような状態で前記ローター７ｂの回転力は洗濯軸４だけに伝えられる。
従って、前記洗濯軸４に結合されたパルセータだけが回転しながら洗濯行程を行うことになる。
【００１３】
次に図４ａ及び４ｂは本発明による洗濯機の脱水行程を示すものである。
図４ａに示すように、前記アクチュエーター６に供給される電源が遮断されて前記コネクティングロッド５０がワイヤー７０を引っ張る力が除去される。従って、前記垂直運動部材８０は自重によって下降することになり、その結果前記垂直運動部材８０が回転運動リンク１１０を支持する力も除去される。
その結果、前記回転運動リンク１１０は、トーションスプリング１２０の復元力によって固定ピン１７を中心に時計方向に回転することになる。この時前記回転運動リンク１１０はストッパー１１５と接触される角度まで回転することになる。
これと同時に前記移動スライダー３５は回転運動リンク１１０の支持力が除去されることによって自重と圧縮スプリング４０の復元力によって脱水軸５に沿って下降することになる。この時前記移動スライダー３５は回転運動リンク１１０の他端１１３に接触されるまで下降することになる。その結果、前記固定歯車３２と移動歯車３６は完全に分離される。この状態は図４ｂに示す通りである。
この時前記移動スライダー３５は脱水軸５とインナーコネクター２５に同時に結合される。即ち、前記移動スライダーのセレーション３７は脱水軸５の外周面とインナーコネクターの第２セレーション２７に同時に噛み合っている。
このような状態で前記ローター７ｂの回転力は洗濯軸４のみならず前記移動スライダー３５を介して脱水軸５にも伝えられる。従って、前記洗濯軸４に結合されたパルセータと前記脱水軸５に結合された洗濯槽が同時に回転しながら脱水行程を行うことになる。
【００１４】
次に、図５ａ及び図５ｂは本発明による洗濯機の拘束状態を示すものである。
図５ａに示すように、洗濯行程を行うために前記アクチュエーター６に電源が印加され、前記のような過程を経て前記移動スライダー３５は回転運動リンク１１０の支持を受けながら上昇することになる。
この時前記移動スライダー３５は脱水軸５と共に回転運動していた状態であるので前記移動歯車３６と固定歯車３２が噛み合っている状態が発生することもできる。この状態は図５ｂに示す通りである。
この場合、コネクティングロッド５０は継続ワイヤー７０を引っ張る反面、前記垂直運動部材８０は回転運動リンク１１０が前記移動スライダー３５によって拘束された状態であるのでこれ以上上昇することができない。これによって前記緩衝スプリング９０はコネクティングロッド５０の力によって引っ張られながら前記コネクティングロッドの力を一時的に吸収することになる。従って、前記回転運動リンク１１０が移動スライダー３５を無理に上昇させようとする力を一時的に除去することができる。
この時、前記移動スライダー３５はインナーコネクター２５と結合された状態である。従って、前記ローター７ｂの回転時移動スライダー３５も共に回転することになり、前記移動スライダー３５の回転時、移動歯車３６と固定歯車３２とが正常的に結合する状態になる。その瞬間、前記緩衝スプリング９０が復元されながらワイヤー７０を引っ張ることになって前記垂直運動部材８０が上昇することになり、その結果前記回転運動リンク１１０が反時計方向に回転しながら前記移動スライダー３５が上昇される。該作用は前記移動歯車３６と固定歯車３２とが完全に結合されて瞬間拘束状態が解除されるまで行われる。
【００１５】
次に本発明の第２実施例による洗濯機を図６ａないし図６ｃを参照して詳細に説明する。
本発明の第２実施例による洗濯機は第１実施例は洗濯機と同一で、かつ前記固定スライダーと移動スライダーとの結合時、機械的な性質を向上させ騒音を減らすことが出来る別のコーティング層が更に形成されるのが特徴である。従って、前記コーティング層を除外した他の部分の説明を省略する。
図６ａないし図６ｃに示すように、前記固定スライダー３１の固定歯車３２と前記移動スライダー３５の移動歯車３６にモリブデンコーティング層３２ａ、３６ａが形成される。前記固定歯車３２と移動歯車３６は結合と分離を絶えず繰り返す部分であるので摩擦による摩耗と熱的変形に弱いことが事実である。従って、前記固定歯車と移動歯車３６にモリブデンコーティング層３２ａ、３６ａを形成することによって、前記固定歯車と移動歯車の耐蝕性、耐熱性、耐摩耗性などを向上させることになる。
この時、前記モリブデンコーティング層３２ａ、３６ａは二硫化モリブデン（ＭｏＳ２）を主成分にするのが望ましい。なぜならば、二硫化モリブデンＭｏＳ２は自己潤滑性に優れるので前記固定歯車３２と移動歯車３６の機械的な摩耗を相当低減させることができるので、これによって摩擦騒音を相当減らすことができるからである。
【００１６】
尚、前記洗濯軸４の下端部にセレーションが形成され、前記セレーションにインナーコネクター２５が結合される方式の代わりに前記洗濯軸の下段部が四角軸を成している前記インナコネクター部内部に前記四角軸に結合される中空の四角リングが形成され、前記洗濯軸がインナーコネクターに結合される方式が適用しても構わない。
以上本発明の好適な一実施形態に対して説明したが、前記実施形態のものに限定されるわけではなく、本発明の技術思想に基づいて種々の変形が可能である。
【００１７】
以上前記説明したように、本発明による洗濯機はモータの駆動力を動力伝達手段を介して洗濯軸又は脱水軸に短時間内に切り換えて供給することができる。共に本発明による洗濯機はモータの駆動力を緩衝手段を介して洗濯軸又は脱水軸に安定的に供給することができる。
また、本発明による洗濯機はモリブデンコーティング層を介して動力切換の際、発する騒音を減らすことができ、動力切換装置の機械的な性質を向上させることができる。
【図面の簡単な説明】
【図１】
本発明による洗濯機の構造を概略的に示した断面図である。
【図２】
本発明の第１実施例による洗濯機の動力切り換え装置を示した断面図である。
【図３】
図３ａは、図２による動力切り換え装置の洗濯時の作用を示した断面図である。
図３ｂは、図３ａによる動力切り換え装置のスライダーを示した拡大断面図である。
【図４】
図４ａは、図２による動力切り換え装置の脱水時の作用を示した断面図である。
図４ｂは、図４ａによる動力切り換え装置のスライダーを示した拡大断面図である。
【図５】
図５ａは図２による動力切り換え装置の拘束時の作用を示した断面図である。
図５ｂは、図５ａによる動力切り換え装置のスライダーを示した拡大断面図である。
【図６】
図６ａ、６ｂ及び６ｃは各々本発明の第２実施例による動力切り換え装置中スライダーの洗濯、脱水及び拘束時の作用を示した拡大断面図である。
【国際公開パンフレット】
2004518504.tif 000003
2004518504.tif 000004
2004518504.tif 000005
2004518504.tif 000006
2004518504.tif 000007
2004518504.tif 000008
2004518504.tif 000009
2004518504.tif 000010
2004518504.tif 000011
2004518504.tif 000012
2004518504.tif 000013
2004518504.tif 000014
2004518504.tif 000015
2004518504.tif 000016
2004518504.tif 000017
2004518504.tif 000018
2004518504.tif 000019
2004518504.tif 000020
2004518504.tif 000021
2004518504.tif 000022
2004518504.tif 000023
2004518504.tif 000024
2004518504.tif 000025
2004518504.tif 000026
2004518504.tif 000027
2004518504.tif 000028
2004518504.tif 000029
2004518504.tif 000030
【国際調査報告】
2004518504.tif 000031
2004518504.tif 000032